【手続補正書】
【提出日】平成17年12月14日(2005.12.14)
【手続補正１】
【補正対象書類名】明細書
【補正対象項目名】特許請求の範囲
【補正方法】変更
【補正の内容】
【特許請求の範囲】
【請求項１】
移植可能な医療機器であって、
ａ）電源、
ｂ）制御回路、および
ｃ）前記電源および前記制御回路のハウジングからなり、
このハウジングが間隔を置いた第１と第２の主側壁と、これらの側壁が延長して会合する対向する第３と第４の端壁と底壁とからなる深絞り金属ケーシングからなり、前記主側壁および端壁は金属蓋によって閉じられる開口から延長して底壁に至り、前記第１と第２の主側壁はそれが前記第３の端壁と接続されるところ、および前記第４の端壁と接続されるところで湾曲しており、前記間隔を置いた第１と第２の主側壁および前記対向する第３と第４の端壁のそれぞれの間隔が前記蓋で閉じられる前記開口において最大であることを特徴とする移植可能な医療機器。
【請求項２】
前記第１と第２の主側壁が、それらの前記第３の端壁への接続個所から反対の前記第４の端壁への接続個所まで連続的に湾曲していることを特徴とする請求項１に記載の移植可能な医療機器。
【請求項３】
前記第１の主側壁が前記第２の主側壁よりも大きい曲率を有していることを特徴とする請求項２に記載の移植可能な医療機器。
【請求項４】
前記第１と第２の主側壁の少なくとも一つが少なくとも第１と第２の異なる曲率を有し、前記第１の曲率が前記第２の曲率に移行していることを特徴とする請求項１に記載の移植可能な医療機器。
【請求項５】
前記第１と第２の主側壁の少なくとも一つが少なくとも第１と第２の異なる曲率を有し、前記第１と前記第２の曲率の間にほぼ平坦な面が配置されていることを特徴とする請求項１に記載の移植可能な医療機器。
【請求項６】
前記第３と第４の端壁が湾曲していることを特徴とする請求項１に記載の移植可能な医療機器。
【請求項７】
前記第３と第４の端壁がほぼ平坦であることを特徴とする請求項１に記載の移植可能な医療機器。
【請求項８】
前記ハウジングが前記底壁の反対側に蓋を含んでいることを特徴とする請求項１に記載の移植可能な医療機器。
【請求項９】
前記蓋が少なくとも一つのフィードスルーピンを支持していることを特徴とする請求項８に記載の移植可能な医療機器。
【請求項１０】
前記移植可能な医療機器が、補聴器、神経刺激器、心臓ペースメーカー、心臓細動除去器、心臓補助器およびドラッグポンプからなるグループから選ばれたことを特徴とする請求項１に記載の移植可能な医療機器。
【請求項１１】
前記ハウジングがニッケル、アルミニウム、ステンレススチール、軟鋼、タンタルおよびチタンからなるグループから選ばれた物質からなることを特徴とする請求項１に記載の移植可能な医療機器。
【請求項１２】
移植可能な医療機器であって、
ａ）電源、
ｂ）制御回路、
ｃ）前記電源および前記制御回路のハウジングからなり、
このハウジングが間隔を置いた第１と第２の主側壁とこれらの側壁が延長して会合する凡そ半径で湾曲した形状の中間壁とからなる深絞り金属ケーシングからなり、前記第１と第２の主側壁がそれぞれ前記中間壁と会合する場所で湾曲しており、前記間隔を置いた第１と第２の主側壁、および開口において前記主側壁に会合する前記中間壁の対向部分が、蓋で閉じられる前記開口においてお互いから最大距離となることを特徴とする移植可能な医療機器。
【請求項１３】
前記第１と第２の主側壁が連続湾曲していることを特徴とする請求項１２に記載の移植可能な医療機器。
【請求項１４】
前記第１と第２の主側壁の少なくとも一つが少なくとも第１と第２の異なる曲率を有し、前記第１の曲率が前記第２の曲率に移行していることを特徴とする請求項１２に記載の移植可能な医療機器。
【請求項１５】
前記第１と第２の主側壁の少なくとも一つが少なくとも第１と第２の異なる曲率を有し、前記第１と第２の曲率の間にほぼ平坦な面が配置されていることを特徴とする請求項１２に記載の移植可能な医療機器。
【請求項１６】
前記第１の主側壁が前記第２の主側壁よりも大きい曲率を有していることを特徴とする請求項１２に記載の移植可能な医療機器。
【請求項１７】
前記ハウジングが前記第１と第２の主側壁および前記中間壁に接続されている蓋を含むことを特徴とする請求項１２に記載の移植可能な医療機器。
【請求項１８】
前記蓋が少なくとも一つのフィードスルーピンを支持していることを特徴とする請求項１２に記載の移植可能な医療機器。
【請求項１９】
移植可能な医療機器であって、
ａ）電源、
ｂ）制御回路、
ｃ）前記電源と前記制御回路のハウジングからなり、
このハウジングが、第１の周側壁まで延長してこれに会合する第１の主側壁を有する第１の部材と、第２の周側壁まで延長してこれに会合する第２の主側壁を有する第２の部材とからなり、前記第１と第２の部材が互いに合致され、前記第１の周側壁が前記第２の周側壁に少なくとも部分的に重なり合っていることを特徴とする移植可能な医療機器。
【請求項２０】
前記第１と第２の主側壁が連続して湾曲していることを特徴とする請求項１９に記載の移植可能な医療機器。
【請求項２１】
前記第１の主側壁が前記第２の主側壁よりも大きい曲率を有していることを特徴とする請求項１９に記載の移植可能な医療機器。
【請求項２２】
前記第１と第２の主側壁の少なくとも一つが少なくとも第１と第２の異なる曲率を有し、前記第１の曲率が前記第２の曲率に移行していることを特徴とする請求項１９に記載の移植可能な医療機器。
【請求項２３】
前記第１と第２の主側壁の少なくとも一つが少なくとも第１と第２の異なる曲率を有し、前記第１と第２の曲率の間にほぼ平坦な面が配置されていることを特徴とする請求項１９に記載の移植可能な医療機器。
【請求項２４】
移植可能な医療機器のハウジングであって、
ａ）間隔を置いた第１と第２の主側壁と、これらの側壁が延長して会合する対向する第３と第４の端壁とからなり、前記側壁及び端壁は開口から底壁まで延長し、前記第１と第２の主側壁はそれらが前記第３の端壁と接続されるところ、および前記第４の端壁と接続されるところで湾曲している深絞り金属ケーシングと、
ｂ）蓋とからなり、間隔を置いた第１と第２の主側壁および対向する第３と第４の端壁は、前記蓋で閉止された開口においてお互いから最大距離にあることを特徴とする移植可能な医療機器のハウジング。
【請求項２５】
前記第１と第２の主側壁が、それぞれそれらが前記第３の端壁への接続個所から反対の前記第４の端壁への接続個所まで連続的に湾曲していることを特徴とする請求項２４に記載のハウジング。
【請求項２６】
前記第１の主側壁が前記第２の主側壁よりも大きい曲率を有していることを特徴とする請求項２４に記載のハウジング。
【請求項２７】
前記第３と第４の端壁がそれぞれ湾曲していることを特徴とする請求項２４に記載のハウジング。
【請求項２８】
前記第３と第４の端壁が反対に湾曲していることを特徴とする請求項２４に記載のハウジング。
【請求項２９】
前記ハウジングがニッケル、アルミニウム、ステンレススチール、軟鋼、タンタル、チタンからなる群から選ばれた物質からなることを特徴とする請求項２４に記載のハウジング。
【請求項３０】
移植可能な医療機器のハウジングであって、
ａ）間隔を置いた第１と第２の主側壁と、これらの側壁が延長して会合する凡そ半径で湾曲した形状を有する中間壁と底壁とからなり、前記第１と第２の主側壁はそれらが前記中間壁と接続されるところで湾曲している深絞り金属ケーシングと、
ｂ）蓋とからなり、前記間隔を置いた第１と第２の主側壁および開口において前記側壁に会合する前記中間壁の対向部分が、前記蓋で閉止された前記開口においてお互いから最大距離にあることを特徴とする移植可能な医療機器のハウジング。
【請求項３１】
前記第１と第２の主側壁が連続湾曲していることを特徴とする請求項３０に記載のハウジング。
【請求項３２】
前記第１と第２の主側壁の少なくとも一つが少なくとも第１と第２の異なる曲率を有し、前記第１の曲率が前記第２の曲率に移行していることを特徴とする請求項３０に記載のハウジング。
【請求項３３】
前記第１と第２の主側壁の少なくとも一つが少なくとも第１と第２の異なる曲率を有し、前記第１と第２の曲率の間にほぼ平坦な面が配置されていることを特徴とする請求項３０に記載のハウジング。
【請求項３４】
前記第１の主側壁が前記第２の主側壁よりも大きい曲率を有していることを特徴とする請求項３０に記載のハウジング。
【請求項３５】
移植可能な医療機器のハウジングであって、
ａ）第１の周側壁まで延長してこれに会合する第１の主側壁を有する第１の部材と、
ｂ）第２の周側壁まで延長してこれに会合する第２の主側壁を有する第２の部材とからなり、前記第１の周側壁が前記第２の周側壁に少なくとも部分的に重なり合って前記第１と第２の部材が互いに合致可能であることを特徴とする移植可能な医療機器のハウジング。
【請求項３６】
前記第１と第２の主側壁が連続湾曲していることを特徴とする請求項３５に記載のハウジング。
【請求項３７】
前記第１の主側壁が前記第２の主側壁よりも大きい曲率を有していることを特徴とする請求項３５に記載のハウジング。
【請求項３８】
前記第１と第２の主側壁の少なくとも一つが少なくとも第１と第２の異なる曲率を有し、前記第１の曲率が前記第２の曲率に移行していることを特徴とする請求項３５に記載のハウジング。
【請求項３９】
前記第１と第２の主側壁の少なくとも一つが少なくとも第１と第２の異なる曲率を有し、前記第１と第２の曲率の間にほぼ平坦な面が配置されていることを特徴とする請求項３５に記載のハウジング。
【請求項４０】
移植可能な医療機器を製造する方法であって、
ａ）間隔を置いた第１と第２の主側壁と、これらの側壁が延長して会合する対向する第３と第４の端壁とからなり、前記側壁および端壁が金属蓋によって閉じられる開口から延長して底壁に至り、前記第１と第２の主側壁はそれが前記第３の端壁と接続されるところ、および前記第４の端壁と接続されるところで湾曲しており、前記間隔をおいた第１と第２の主側壁および前記対向する第３と第４の両端壁の間隔が前記開口においてお互いから最大距離にある深絞り金属ケーシングからなるハウジングを用意する工程と、
ｂ）このハウジング内に開口を通して制御回路と、この制御回路に電力を供給する電源とを収納する工程と、
ｃ）前記制御回路を前記ハウジングの蓋に支持されたフィードスルーに接続する工程と、
ｄ）前記蓋で前記開口を密封する工程とからなることを特徴とする移植可能な医療機器を製造する方法。
【請求項４１】
前記第１と第２の主側壁を、前記第３の端壁への接続個所から対向する前記第４の端壁への接続個所へかけて継続的に湾曲させて準備する工程を含むことを特徴とする請求項４０に記載の方法。
【請求項４２】
前記第１の主側壁の曲率を前記第２の主側壁よりも大きくして準備する工程を含むことを特徴とする請求項４０に記載の方法。
【請求項４３】
前記第１と第２の主側壁の少なくとも一つを少なくとも第１と第２の曲率とし、前記第１の曲率が前記第２の曲率に移行するよう準備する工程を含むことを特徴とする請求項４０に記載の方法。
【請求項４４】
前記第１と第２の主側壁の少なくとも一つを、少なくとも第１と第２の異なる曲率を有しており、前記第１と第２の曲率の間にほぼ平坦な面が配置されているよう準備する工程を含むことを特徴とする請求項４０に記載の方法。
【請求項４５】
移植可能な医療機器を製造する方法であって、
ａ）間隔を置いた第１と第２の主側壁と、これらの主側壁が延長して会合する凡そ半径で湾曲した形状を有する中間壁とからなり、前記第１と第２の主側壁が前記中間壁と会合するところで湾曲し、前記間隔を置いた第１と第２の主側壁、および開口において前記主側壁と会合する前記中間壁の対向部分が、前記開口においてお互いから最大距離にある深絞り金属ケーシングからなるハウジングを用意する工程と、
ｂ）このハウジング内に前記開口を通して制御回路と、この制御回路に電力を供給する電源とを収納する工程と、
ｃ）前記制御回路をハウジングの蓋に支持されたフィードスルーに接続する工程と、
ｄ）前記蓋で前記開口を密封する工程とからなることを特徴とする移植可能な医療機器を製造する方法。
【請求項４６】
前記第１と第２の主側壁を連続した曲率で準備する工程を含むことを特徴とする請求項４５の方法。
【請求項４７】
前記第１と第２の主側壁の少なくとも一つを、少なくとも第１と第２の曲率からなり、前記第１の曲率が前記第２の曲率に移行するよう準備する工程を含むことを特徴とする請求項４５に記載の方法。
【請求項４８】
前記第１と第２の主側壁の少なくとも一つを、少なくとも第１と第２の異なる曲率を有しており、前記第１と第２の曲率の間にほぼ平坦な面が配置されているよう準備する工程を含むことを特徴とする請求項４５に記載の方法。
【請求項４９】
前記第１の主側壁を前記第２の主側壁よりも大きい曲率で準備する工程を含むことを特徴とする請求項４５に記載の方法。
【請求項５０】
移植可能な医療機器を製造する方法であって、
ａ）第１の周側壁に延長して会合する第１の主側壁を有する第１のハウジング部材を提供する工程と、
ｂ）第２の周側壁に延長して会合する第２の主側壁を有する第２のハウジング部材を提供する工程と、
ｃ）前記第１と第２のハウジング部材の一つの中に制御回路とこの制御回路に電力を供給する電源とを収納する工程と、
ｄ）前記制御回路を前記第１と第２のハウジング部材の一つに支持されたフィードスルーに接続する工程と、
ｅ）前記第１と第２の周側壁の一方を他方に少なくとも部分的に重ね合わせて、前記第１と第２のハウジング部材の一方に他方をシールする工程とからなることを特徴とする移植可能な医療機器を製造する方法。
【請求項５１】
前記第１と第２のハウジング部材の前記第１と第２の主側壁を連続的に湾曲させて準備する工程を含むことを特徴とする請求項５０に記載の方法。
【請求項５２】
前記第１のハウジング部材の前記第１の主側壁を前記第２のハウジング部材の前記第２の主側壁よりも大きい曲率で準備する工程を含むことを特徴とする請求項５０に記載の方法。
【請求項５３】
前記第１と第２のハウジング部材の前記第１と第２の主側壁の少なくとも一つを、少なくとも第１と第２の曲率からなり、前記第１の曲率が前記第２の曲率に移行するよう準備する工程を含むことを特徴とする請求項５０に記載の方法。
【請求項５４】
前記第１と第２のハウジング部材の前記第１と第２の主側壁の少なくとも一つを、少なくとも第１と第２の異なる曲率を有しており、前記第１と第２の曲率の間にほぼ平坦な面が配置されているよう準備する工程を含むことを特徴とする請求項５０に記載の方法。